(57)【要約】【課題】サブ装置により受信される電子番組表をディスプレイに容易に表示させることができる映像表示システムを提供する。【解決手段】映像表示システム１は、ディスプレイ１７および制御部２０を少なくとも備えるメイン装置１０と、チューナー４４，６４および制御部４２，６２を少なくとも備える一つ又は複数のサブ装置４０，６０と、メイン装置１０とサブ装置４０，６０との間に配設された信号線７０と、を含んで構成される。メイン装置１０の制御部２０は、ディスプレイ１７に電子番組表の映像が表示されている状況において、電子番組表を切り替えるための特定操作がユーザーにより行われた場合に、ディスプレイ１７に表示される電子番組表の映像を、サブ装置４０，６０のチューナー４４，６４により受信される電子番組表の映像に切り替える。【選択図】図１
2008079125.tif 000002
【特許請求の範囲】
【請求項１】
放送される映像信号を受信して、当該映像信号に応じた表示を行うための映像表示システムであって、
映像信号に応じて映像を表示するためのディスプレイと、メイン装置の動作を制御する制御部と、を少なくとも備えるメイン装置と、
放送される映像信号を受信するためのチューナーと、前記メイン装置と制御信号を送受信してサブ装置の動作を制御する制御部と、を少なくとも備える一つ又は複数のサブ装置と、
前記メイン装置と前記サブ装置との間に配設された信号線であって、前記サブ装置から前記メイン装置に映像信号を伝達するための映像用信号線、および、前記メイン装置と前記サブ装置との間で制御信号を伝達するための制御用信号線と、
を含み、
前記メイン装置の制御部は、前記ディスプレイに電子番組表の映像が表示されている状況において、電子番組表を切り替えるための特定操作がユーザーにより行われた場合に、前記ディスプレイに表示される電子番組表の映像を、前記サブ装置のチューナーにより受信される電子番組表の映像に切り替えることを特徴とする映像表示システム。
【請求項２】
前記メイン装置の制御部は、前記ディスプレイに電子番組表の映像が表示されている状況において、電子番組表を切り替えるための前記特定操作がユーザーにより行われた場合に、電子番組表の映像信号を要求する制御信号を前記制御用信号線を介して前記サブ装置に送信し、
前記サブ装置の制御部は、前記メイン装置からの制御信号を受信した場合に、前記チューナーにより受信される電子番組表の映像信号が前記映像用信号線を介して前記メイン装置に送信されるように前記サブ装置を制御することを特徴とする請求項１に記載の映像表示システム。
【請求項３】
前記電子番組表を要求する制御信号は、電子番組表の映像信号の生成を指示する制御信号と、電子番組表の映像信号の出力を指示する制御信号とを含むことを特徴とする請求項２に記載の映像表示システム。
【請求項４】
電子番組表を切り替えるための前記特定操作は、前記ディスプレイに表示される電子番組表において最大番号の放送チャンネルが選択される状況で、次に大きい番号の放送チャンネルが選択される操作であることを特徴とする請求項１に記載の映像表示システム。
【請求項５】
電子番組表を切り替えるための前記特定操作は、前記ディスプレイに表示される電子番組表において最小番号の放送チャンネルが選択される状況で、次に小さい番号の放送チャンネルが選択される操作であることを特徴とする請求項１に記載の映像表示システム。
【請求項６】
電子番組表を切り替えるための前記特定操作は、放送の種別を切り替える操作であることを特徴とする請求項１に記載の映像表示システム。
【請求項７】
前記放送の種別とは、地上波放送、ＢＳ放送、ＣＳ放送のいずれかであることを特徴とする請求項６に記載の映像表示システム。
【請求項８】
前記映像用信号線および前記制御用信号線は、ＨＤＭＩ規格に準拠していることを特徴とする請求項１に記載の映像表示システム。
【請求項９】
放送される映像信号に応じた表示を行うための映像表示システムのメイン装置であって、
当該メイン装置は、映像信号を伝達するための映像用信号線、および、制御信号を伝達するための制御用信号線に接続されており、
映像用信号線を経由してサブ装置から送られてくる映像信号に応じて映像を表示するディスプレイと、
メイン装置の動作を制御する制御部であって、制御用信号線を介してサブ装置との間で制御信号を送受信する制御部と、
を少なくとも備え、
前記制御部は、前記ディスプレイに電子番組表の映像が表示されている状況において、電子番組表を切り替えるための特定操作がユーザーにより行われた場合に、前記ディスプレイに表示される電子番組表の映像を、前記サブ装置のチューナーにより受信される電子番組表の映像に切り替えることを特徴とする映像表示システムのメイン装置。
【請求項１０】
放送される映像信号に応じた表示を行うための映像表示システムのサブ装置であって、  当該サブ装置は、映像信号を伝達するための映像用信号線、および、制御信号を伝達するための制御用信号線に接続されており、
放送される映像信号を受信するためのチューナーと、
サブ装置の動作を制御する制御部であって、前記制御用信号線を介してメイン装置との間で制御信号を送受信する制御部と、
を少なくとも備え、
前記制御部は、前記ディスプレイに電子番組表の映像が表示されている状況において、電子番組表を切り替えるための特定操作がユーザーにより行われた場合に、前記チューナーにより受信される電子番組表の映像信号が前記映像用信号線を介して前記メイン装置に送信されるように前記サブ装置を制御することを特徴とする映像表示システムのサブ装置。
【発明の詳細な説明】
【技術分野】
【０００１】
本発明は、放送される映像信号を受信して、当該映像信号に応じた表示を行うための映像表示システムに関する。
【背景技術】
【０００２】
従来より、放送される映像信号を受信して、当該映像信号に応じた表示を行うための映像表示システムが知られている。このような映像表示システムは、例えば、地上波放送を受信可能なチューナーを備えるテレビジョン装置（メイン装置）を中心として、このテレビジョン装置にＢＳ（Broadcasting Satellite）放送やＣＳ（Communication Satellite）放送などを受信可能なチューナーを備える周辺機器（サブ装置）をユーザーの任意に接続することで構成される。
【０００３】
チューナーにより受信される映像信号には、電子番組表（ElectronicProgram Guide：ＥＰＧ）の映像信号が含まれている。電子番組表をディスプレイに表示させることで、ユーザーは放送予定の番組を確認することができる。このような電子番組表をディスプレイに表示する技術が、下記の特許文献１に示されている。なお、電子番組表の情報は、地上デジタル放送、ＢＳデジタル放送、ＣＳデジタル放送などの放送種別ごとに放送されている。
【特許文献１】特開２００１−２１８１８８号公報
【発明の開示】
【発明が解決しようとする課題】
【０００４】
従来技術の映像表示システムでは、ディスプレイに表示される電子番組表を、メイン装置のいずれかの放送種別の電子番組表からサブ装置の他の放送種別の電子番組表に直接に切り替えることができなかった。例えば、メイン装置の地上デジタル放送の電子番組表がディスプレイに表示されている状況において、ディスプレイに表示される電子番組表をサブ装置のＢＳデジタル放送の電子番組表に切り替える場合には、ユーザーは、サブ装置のＢＳデジタル放送のいずれかの番組を一度ディスプレイに表示させる操作をしてから、その後、ＢＳデジタル放送の電子番組表をディスプレイに表示させる操作をする必要があった。
【０００５】
本発明は、上記の課題を解決するためになされたもので、メイン装置と１つまたは複数のサブ装置を接続して構成される映像表示システムであって、サブ装置により受信される電子番組表をディスプレイに容易に表示させることができる映像表示システムを提供することを目的とする。
【課題を解決するための手段】
【０００６】
上述した目的を達成するために、本発明は、放送される映像信号を受信して、当該映像信号に応じた表示を行うための映像表示システムであって、映像信号に応じて映像を表示するためのディスプレイと、メイン装置の動作を制御する制御部と、を少なくとも備えるメイン装置と、放送される映像信号を受信するためのチューナーと、メイン装置と制御信号を送受信してサブ装置の動作を制御する制御部と、を少なくとも備える一つ又は複数のサブ装置と、メイン装置とサブ装置との間に配設された信号線であって、サブ装置からメイン装置に映像信号を伝達するための映像用信号線、および、メイン装置とサブ装置との間で制御信号を伝達するための制御用信号線と、を含み、メイン装置の制御部は、ディスプレイに電子番組表の映像が表示されている状況において、電子番組表を切り替えるための特定操作がユーザーにより行われた場合に、ディスプレイに表示される電子番組表の映像を、サブ装置のチューナーにより受信される電子番組表の映像に切り替えることを特徴とする。
【０００７】
上述した映像表示システムでは、メイン装置の制御部は、ディスプレイに電子番組表の映像が表示されている状況において、電子番組表を切り替えるための特定操作がユーザーにより行われた場合に、ディスプレイに表示される電子番組表の映像を、サブ装置のチューナーにより受信される電子番組表の映像に切り替える。よって、上述した映像表示システムによれば、サブ装置により受信される電子番組表の映像信号を容易にディスプレイに表示させることができる。
【発明の効果】
【０００８】
本発明によれば、メイン装置と１つまたは複数のサブ装置を接続して構成される映像表示システムであって、サブ装置により受信される電子番組表をディスプレイに容易に表示させることができる映像表示システムを提供することができる。
【発明を実施するための最良の形態】
【０００９】
以下、図面を参照して、本発明に係る映像表示システムの好適な実施の形態について説明する。なお、同一要素には同一符号を用い、重複する説明は省略する。
【００１０】
図１には、映像の表示を行うための映像表示システム１が概略的に示されている。映像表示システム１は、テレビジョン装置１０と、ＡＶアンプ３０と、セットトップボックス４０と、ＤＶＤプレーヤー５０と、ＨＤＤレコーダー６０とを含み構成されている。これらのＡＶ機器１０，３０，４０，５０，６０の間にはＨＤＭＩ（High-Definition Multimedia Interface）規格に準拠したケーブル（以下、ＨＤＭＩケーブルと呼ぶ）７０が配設されており、これらのＡＶ機器１０，３０，４０，５０，６０はＨＤＭＩケーブル７０を介して互いに接続されている。テレビジョン装置１０は、映像表示システム１の中心となるメイン装置である。一方、ＡＶアンプ３０、セットトップボックス４０、ＤＶＤプレーヤー５０およびＨＤＤレコーダー６０は、映像表示システム１にユーザーの任意に接続されるサブ装置である。
【００１１】
テレビジョン装置１０は、映像を表示するためのディスプレイ１７を備えている。また、テレビジョン装置１０は、地上デジタル放送を受信するためのアンテナ１１およびチューナー１２を備えており、放送される映像信号および音声信号を受信する機能を有している。また、テレビジョン装置１０は、当該装置の動作を統括的に制御するための制御部２０を備えている。この制御部２０は、ＣＰＵ（Central Processing Unit）２１、ＲＡＭ（Random Access Memory）２３、ＲＯＭ（Read OnlyMemory）２２などを含んで構成されている。テレビジョン装置１０の詳細な構成については後述する。
【００１２】
ＡＶ（Audio-Visual）アンプ３０には、ＨＤＭＩケーブル７０を介してセットトップボックス４０およびＤＶＤプレーヤー５０が接続されている。ＡＶアンプ３０は、ＨＤＭＩケーブル７０を介してセットトップボックス４０またはＤＶＤプレーヤー５０のいずれか一方から選択的に映像信号および音声信号を取り込み、取り込まれた映像信号および音声信号を処理してからテレビジョン装置１０に出力する。また、ＡＶアンプ３０は、当該装置の動作を統括的に制御するための制御部３２を備えている。この制御部３２は、ＣＰＵ、ＲＡＭ、ＲＯＭなどを含んで構成されている。なお、ＡＶアンプ３０のＲＯＭには、ＡＶアンプ３０にチューナーが搭載されていないことを示す情報が記憶されている。
【００１３】
セットトップボックス４０は、ＢＳ（Broadcasting Satellites）デジタル放送を受信するためのアンテナ４６およびチューナー４４を備えており、放送される映像信号および音声信号を受信する機能を有する。セットトップボックス４０は、受信された映像信号および音声信号をＨＤＭＩケーブル７０を介してＡＶアンプ３０に出力する機能を有する。また、セットトップボックス４０は、当該装置の動作を統括的に制御するための制御部４２を備えている。この制御部４２は、ＣＰＵ、ＲＡＭ、ＲＯＭなどを含んで構成されている。なお、セットトップボックス４０のＲＯＭには、セットトップボックス４０にチューナー４４が搭載されていることを示す情報、およびセットトップボックス４０に搭載されるチューナー４４の種別（ＢＳデジタル放送用）の情報が記憶されている。
【００１４】
ＤＶＤ（Digital Versatile Disc）プレイヤー５０は、ＤＶＤから映像信号および音声信号を読み出して、読み出された映像信号および音声信号をＨＤＭＩケーブル７０を介してＡＶアンプ３０に出力する機能を有する。また、ＤＶＤプレーヤー５０は、当該装置の動作を統括的に制御するための制御部５２を備えている。この制御部５２は、ＣＰＵ、ＲＡＭ、ＲＯＭなどを含んで構成されている。なお、ＤＶＤプレーヤー５０のＲＯＭには、ＤＶＤプレーヤー５０にチューナーが搭載されていないことを示す情報が記憶されている。
【００１５】
ＨＤＤ（Hard Disk Drive）レコーダー６０は、地上アナログ放送を受信するためのアンテナ６６およびチューナー６４を備えており、放送される映像信号および音声信号を受信して、受信された映像信号および音声信号をハードディスクに書き込む機能を有する。また、ＨＤＤレコーダー６０は、受信された映像信号および音声信号をＨＤＭＩケーブル７０を介してテレビジョン装置１０に出力する機能を有する。また、ＨＤＤレコーダー６０は、当該装置の動作を統括的に制御するための制御部６２を備えている。この制御部６２は、ＣＰＵ、ＲＡＭ、ＲＯＭなどを含んで構成されている。なお、ＨＤＤレコーダー６０のＲＯＭには、ＨＤＤレコーダー６０にチューナー６４が搭載されていることを示す情報、およびＨＤＤレコーダー６０に搭載されるチューナー６４の種別（地上アナログ放送用）の情報が記憶されている。
【００１６】
ＨＤＭＩ規格に準拠したケーブルは、映像信号や音声信号などを伝達するための映像・音声用信号線７２、制御信号を伝達するための制御用信号線７６などが１本に纏められたケーブルである。制御用信号線７６は、テレビジョン装置１０の制御部２０、ＡＶアンプ３０の制御部３２、セットトップボックス４０の制御部４２、ＤＶＤプレーヤー５０の制御部５２、およびＨＤＤレコーダー６０の制御部６２を互いに接続している。各ＡＶ機器１０，３０，４０，５０，６０の制御部２０，３２，４２，５２，６２は、制御用信号線７６を介して制御信号をやり取りする。ＡＶ機器間でやり取りされる制御信号は、ＨＤＭＩ‐ＣＥＣ（Consumer Electronics Control）と呼ばれる制御プロトコルに従っている。ＨＤＭＩ‐ＣＥＣに従った制御信号がテレビジョン装置１０と周辺機器３０，４０，５０，６０との間でやり取りされることにより、テレビジョン装置１０および周辺機器３０，４０，５０，６０の連携した動作が実現される。なお、本実施形態においてＡＶ機器間でやり取りされる制御信号は、ＨＤＭＩ‐ＣＥＣで標準的なコマンドであってもよいし、ＡＶ機器の製造者により任意に設定されるベンダーコマンドであってもよい。
【００１７】
次に、図２を参照して、上述したテレビジョン装置１０についてより詳しく説明する。図２には、上述したテレビジョン装置１０の内部構成が示されている。
【００１８】
テレビジョン装置１０は、地上デジタル放送を受信するための手段としてアンテナ１１およびチューナー１２を備えている。アンテナ１１で受信された放送波は、チューナー１２に供給される。チューナー１２は、放送波から所望の周波数の放送信号を選択的に受信し、受信された放送信号の復調処理を行い、復調された放送信号を信号処理部１４に出力する。
【００１９】
また、テレビジョン装置１０は、ＨＤＭＩケーブル７０を介して映像信号および音声信号を取り込むための手段としてＨＤＭＩ受信部１３を備えている。ＨＤＭＩ受信部１３は、ＨＤＭＩケーブル７０に接続されており、外部装置（セットトップボックス４０、ＤＶＤプレーヤー５０、ＨＤＤレコーダー６０など）からＨＤＭＩケーブル７０を介して到来する映像信号および音声信号を受信し、受信された映像信号および音声信号を信号処理部１４に出力する。
【００２０】
また、テレビジョン装置１０は、映像信号に応じてディスプレイ１７に映像を表示させるための手段として信号処理部１４、映像処理部１５および表示処理部１６を備えている。信号処理部１４は、チューナー１２から供給された放送信号から映像信号、音声信号、その他の信号を分離し、複数あるこれらの信号から所望の信号を抽出する。そして、信号処理部１４は、抽出された映像信号を映像処理部１５に出力するとともに、選択された音声信号を音声処理部（不図示）に出力する。また、信号処理部１４は、ＨＤＭＩ受信部１３から供給された映像信号および音声信号に信号処理を施し、信号処理が施された映像信号を映像処理部１５に出力するとともに、信号処理が施された音声信号を音声処理部に出力する。
【００２１】
映像処理部１５は、信号処理部１４から供給された映像信号の画角や色などを適切に調整する処理を行い、調整された映像信号を表示処理部１６に出力する。表示処理部１６は、映像処理部１５から供給された映像信号をディスプレイ１７で表示可能なフォーマットの映像信号に変換し、変換された映像信号をディスプレイ１７に出力する。また、表示処理部１６は、電子番組表（Electronic Program Guide：ＥＰＧ）、オンスクリーンディスプレイ（On Screen Display：ＯＳＤ）などの画像信号を生成し、生成された電子番組表やＯＳＤの画像信号を映像信号と共にディスプレイ１７に出力する。なお、音声処理部は、入力される音声信号をスピーカ（不図示）で再生可能なフォーマットの音声信号に変換した後、スピーカに出力する。
【００２２】
また、テレビジョン装置１０は、既述のとおり、テレビジョン装置１０の全体的な動作を制御するための手段としてＣＰＵ２１、ＲＡＭ２３、ＲＯＭ２２を含む制御部２０を備えている。制御部２０のＣＰＵ２１は、テレビジョン装置１０の内部に配設された信号線１８に接続されており、この信号線１８を介して各部に制御信号を送ることによりテレビジョン装置１０の動作を統括的に制御する。また、制御部２０は、ユーザーがキーボード２５やリモートコントローラ２７を操作することによる入力を取り込んで、そのユーザー操作に従うように各部を制御する。ユーザーがリモートコントローラ２７を操作した場合には、そのユーザー操作に応じた赤外線信号がリモートコントローラ２７から送出され、その赤外線信号が受光部２６により感知される。リモートコントローラ２７には、０から９までの数字を入力するためのテンキー、チャンネルを選択するためのチャンネルアップキーおよびチャンネルダウンキー、上下左右のいずれかを入力するための方向キー、ディスプレイに表示される放送の種別を切り替えるための放送切替キーなどが設けられている。
【００２３】
なお、上述した映像表示システムは、本発明の単なる一構成例を示しているに過ぎず、映像表示システムは異なる構成とすることもできる。例えば、上述した実施形態では、複数のＡＶ機器１０，３０，４０，５０，６０はＨＤＭＩケーブル７０により互いに接続されているが、複数のＡＶ機器１０，３０，４０，５０，６０はＩＩＣ−ＢＵＳ（Inter-IC-Bus）やＵＡＲＴ（Universal Asynchronous Receiver Transmitter）などの他の種類のケーブルにより互いに接続されてもよい。
【００２４】
次に、テレビジョン装置１０の制御部２０により実行されるＥＰＧ切替処理について説明する。図３には、ＥＰＧ切替処理のフローチャートが示されている。ここで説明するＥＰＧ切替処理は、テレビジョン装置１０の制御部２０がプログラムを実行することにより実現される。
【００２５】
ステップ３０１において、テレビジョン装置１０の制御部２０は、テレビジョン装置１０または周辺機器４０，６０に搭載されたチューナー１２，４４，６４により受信される電子番組表をディスプレイ１７に表示する（図７参照）。なお、以下の説明では、説明の便宜のために、テレビジョン装置１０のチューナー１２により受信される地上デジタル放送の電子番組表がディスプレイ１７に表示された状況においてＥＰＧ切替処理が実行されるものとする。但し、ＥＰＧ切替処理は、周辺機器４０，６０のチューナー４４，６４により受信される電子番組表がディスプレイ１７に表示されている状況において実行されてもよい。
【００２６】
ステップ３０２において、テレビジョン装置１０の制御部２０は、電子番組表の切り替えを行うべきＥＰＧ切替条件が満たされたか否かを判定する。ここで、ＥＰＧ切替条件は、「電子番組表において最後のチャンネル（すなわち、最も番号の大きいチャンネル）が選択されており、かつ、次のチャンネルを選択する操作が行われた」という条件である。次のチャンネルを選択する操作とは、例えば、図７に示される電子番組表において、５１チャンネルの番組Ｐ２０を選択しているカーソルを下方に移動させるように下方向の方向キーを押す操作である。ステップ３０２においてＥＰＧ切替条件が満たされたと判定された場合には、テレビジョン装置１０の制御部２０は、ステップ３０３の処理に進む。
【００２７】
ステップ３０３において、テレビジョン装置１０の制御部２０は、テレビジョン装置１０（ステップ３０１で周辺機器４０，６０により受信される電子番組表が表示されていた場合には、その周辺機器４０，６０）に他の電子番組表を受信可能なチューナーが搭載されているか否かを判定する。例えば電子番組表サービスを提供する他の放送種別（ＢＳデジタル放送、ＣＳデジタル放送など）用のチューナーがテレビジョン装置１０に搭載されているのであれば、テレビジョン装置１０の制御部２０は、そのチューナーの存在を認識する。
【００２８】
上記のステップ３０３においてテレビジョン装置１０に他のチューナーが搭載されていることが認識された場合には、テレビジョン装置１０の制御部２０は、ステップ３０８の処理に進み、認識されたチューナーにより受信される電子番組表がディスプレイ１７に表示されるように制御する。ここで、電子番組表は、最初のチャンネルがカーソルにより選択された状態でディスプレイ１７に表示される。一方、ステップ３０３においてテレビジョン装置１０に他のチューナーが搭載されていないことが判定された場合には、テレビジョン装置１０の制御部２０は、ステップ３０４の処理に進む。
【００２９】
ステップ３０４において、テレビジョン装置１０の制御部２０は、ＨＤＭＩケーブル７０を介して接続された周辺機器３０，４０，５０，６０の存在を調べる。テレビジョン装置１０の制御部２０は、テレビジョン装置１０の起動時に周辺機器の有無を調べるように設定されており、起動後には周辺機器の有無の情報を蓄積している。よって、テレビジョン装置１０の制御部２０は、蓄積された周辺機器の有無の情報に基づいて、ＨＤＭＩケーブル７０を介して接続された周辺機器の存在を調べることができる。ステップ３０４において周辺機器が存在しないと判定された場合には、テレビジョン装置１０の制御部２０は、ステップ３０８の処理に進み、現在表示中の電子番組表を最初のチャンネルがカーソルにより選択された状態に更新し、更新された電子番組表がディスプレイ１７に表示されるように制御する。一方、ステップ３０４においてＨＤＭＩケーブル７０を介して接続された周辺機器が存在すると判定された場合には、テレビジョン装置１０の制御部２０は、ステップ３０５の処理に進む。
【００３０】
ステップ３０５において、テレビジョン装置１０の制御部２０は、その周辺機器３０，４０，５０，６０にチューナーが搭載されているか否かを調べるためのチューナー確認コマンドを送信する。このチューナー確認コマンドは、チューナーの有無を問い合わせるための制御信号であると共に、チューナーの種別を問い合わせるための制御信号である。周辺機器３０，４０，５０，６０は、テレビジョン装置１０からのチューナー確認コマンドを受信すると、ＲＯＭからチューナーの有無を示す情報およびチューナーの種別を示す情報を読み出し、これらの情報を含む応答信号を送信する。ここで、チューナーの種別を示す情報とは、そのチューナーが受信する放送の種別を特定する情報であり、例えば、地上アナログ放送、地上デジタル放送、ＢＳデジタル放送、ＣＳデジタル放送などを特定する情報である。ステップ３０５において、テレビジョン装置１０の制御部２０は、周辺機器３０，４０，５０，６０から送られてくる応答信号を受信すると、ステップ３０６の処理に進む。
【００３１】
ステップ３０６において、テレビジョン装置１０の制御部２０は、周辺機器３０，４０，５０，６０からの応答信号に基づいて、その周辺機器にＥＰＧ表示機能があるか否かを判定する。ＥＰＧ表示機能とは、ユーザーによるリモートコントローラの操作に応じて電子番組表をディスプレイ１７に表示する機能である。周辺機器のチューナーが電子番組表データを含む放送信号を受信するものである場合には、テレビジョン装置１０の制御部２０は、その周辺機器にＥＰＧ表示機能があることを認識する。一方、周辺機器のチューナーが電子番組表データを含まない放送信号を受信するものである場合には、テレビジョン装置１０の制御部２０は、その周辺機器にＥＰＧ表示機能がないことを認識する。
【００３２】
ステップ３０６において周辺機器にＥＰＧ表示機能がないと判定された場合には、テレビジョン装置１０の制御部２０は、ステップ３０４の処理に戻り、ＨＤＭＩケーブル７０を介して接続されたさらに他の周辺機器が存在するか否かを調べる。一方、ステップ３０６において周辺機器にＥＰＧ表示機能があると判定された場合には、テレビジョン装置１０の制御部２０は、ステップ３０７の処理に進む。
【００３３】
ステップ３０７において、テレビジョン装置１０の制御部２０は、周辺機器のチューナーの種別がテレビジョン装置１０（ステップ３０１で周辺機器４０，６０により受信される電子番組表が表示されていた場合には、既に電子番組表が表示されたテレビジョン装置１０およびその周辺機器４０，６０）のチューナー１２の種別と異なるか否かを判定する（Ｓ３０７）。ステップ３０７において周辺機器のチューナーの種別がテレビジョン装置１０のチューナー１２の種別と異なると判定された場合には、テレビジョン装置１０の制御部２０は、ステップ３０８の処理に進み、その周辺機器のチューナーにより受信される電子番組表がディスプレイ１７に表示されるように制御する。ここで、電子番組表は、最初のチャンネルがカーソルにより選択された状態でディスプレイ１７に表示される（図８参照）。一方、ステップ３０７において周辺機器のチューナーの種別がテレビジョン装置１０のチューナー１２の種別と同じであると判定された場合には、テレビジョン装置１０の制御部２０は、ステップ３０４の処理に戻り、ＨＤＭＩケーブル７０を介して接続されたさらに他の周辺機器が存在するか否かを調べる。
【００３４】
上述したＥＰＧ切替処理によれば、ユーザーがリモートコントローラ２７の方向キーを操作することにより、ディスプレイ１７に表示される映像を、テレビジョン装置１０により受信される電子番組表から、周辺機器４０，６０により受信される電子番組表に直接に切り替えることができる。よって、従来技術のように周辺機器により受信される番組の映像を表示させてから電子番組表の映像に切り替えるという面倒な操作を行う必要がなくなり、ユーザーは簡易な操作を行うことで周辺機器４０，６０により受信される電子番組表を表示させることができる。
【００３５】
なお、上述したＥＰＧ切替処理のステップ３０２の処理では、ＥＰＧ切替条件は、「電子番組表において最後のチャンネルが選択されており、かつ、次のチャンネルを選択する操作が行われた」であったが、「電子番組表において最初のチャンネル（すなわち、最も番号の小さいチャンネル）が選択されており、かつ、前のチャンネルを選択する操作が行われた」という条件においても同様にＥＰＧ切替処理が行われる。このＥＰＧ切替条件が採用された場合には、テレビジョン装置１０の制御部２０は、ステップ３０８において最後のチャンネルがカーソルにより選択された状態で電子番組表がディスプレイ１７に表示されるように制御する。
【００３６】
なお、上述したＥＰＧ切替処理において、放送種別ごとに優先順位を付けて電子番組表の表示切替を行うことも好適である。例えば、上記のステップ３０２のＥＰＧ切替条件が満たされる度に、１．地上アナログ放送の電子番組表、２．地上デジタル放送の電子番組表、３．ＢＳデジタル放送の電子番組表、４．ＣＳデジタル放送の電子番組表の順序で切り替えられるようにしてもよい。このような電子番組表の表示切替処理は、テレビジョン装置１０の制御部２０が、ステップ３０７において周辺機器のチューナーの種別が優先順位に応じているか否かをさらに判定すればよい。このような電子番組表の表示切替処理を行うことで、常に同じ順序で電子番組表をディスプレイ１７に表示させることができる。
【００３７】
次に、図４のシーケンス図を参照して、図３のＥＰＧ切替処理が行われた場合のテレビジョン装置１０およびその周辺機器３０，４０，５０，６０の動作について説明する。図５のシーケンス図には、テレビジョン装置１０およびその周辺機器３０，４０，５０，６０の動作が、テレビジョン装置１０とその周辺機器３０，４０，５０，６０との間でやり取りされる制御信号と共に示されている。
【００３８】
先ず、ユーザーによりテレビジョン装置１０用のリモートコントローラ２７の番組表キーが押されると、テレビジョン装置１０の制御部２０は、ユーザーにより番組表キーが押されたことを認識する。そして、テレビジョン装置１０の制御部２０は、テレビジョン装置１０のチューナー１２により受信される電子番組表がディスプレイ１７に表示されるように制御する。
【００３９】
次に、ユーザーによりテレビジョン装置１０用のリモートコントローラ２７のカーソルを下方向に移動させるための方向キーが押されると、テレビジョン装置１０の制御部２０は、ユーザーにより方向キーが押されたことを認識する。そして、テレビジョン装置１０の制御部２０は、電子番組表において選択されたカーソル位置をチェックする。ここで、カーソル位置が電子番組表の下端のチャンネルである場合にはＥＰＧ切替条件が満たされているため、続いて、テレビジョン装置１０の制御部２０は、テレビジョン装置１０に他の電子番組表を表示可能なチューナーが搭載されているか否かをチェックする。但し、本実施形態では、テレビジョン装置１０には地上デジタル放送のチューナー１２しか搭載されていないため、テレビジョン装置１０の制御部２０は、他のチューナーがないことを判定する。
【００４０】
次に、テレビジョン装置１０の制御部２０は、ＨＤＭＩケーブル７０を介して接続された周辺機器があるか否かをチェックする。本実施形態では、ＡＶアンプ３０、セットトップボックス４０、ＤＶＤプレーヤー５０、ＨＤＤレコーダー６０等が接続されているため、テレビジョン装置１０の制御部２０は、それらの周辺機器の中で物理アドレスが最も小さいＡＶアンプ３０の存在を第一に確認する。そしで、テレビジョン装置１０の制御部２０は、チューナーの有無およびチューナーの種別を確認するためのチューナー確認コマンドを制御用信号線７６を介してＡＶアンプ３０に向けて送信する。ＡＶアンプ３０にはチューナーは搭載されていないため、ＡＶアンプ３０の制御部３２は、このチューナー確認コマンドに応じて、チューナーが搭載されていないことを示す応答信号を制御用信号線７６を介してテレビジョン装置１０に向けて送信する。テレビジョン装置１０の制御部２０は、この応答信号を受信することにより、ＡＶアンプ３０にチューナーが搭載されていないことを認識する。
【００４１】
次に、テレビジョン装置１０の制御部２０は、ＨＤＭＩケーブル７０を介して接続されたさらに他の周辺機器があるか否かをチェックする。テレビジョン装置１０の制御部２０は、周辺機器の中で物理アドレスが二番目に小さいセットトップボックス４０の存在を第二に確認する。そしで、テレビジョン装置１０の制御部２０は、チューナーの有無およびチューナーの種別を確認するためのチューナー確認コマンドを制御用信号線７６を介してセットトップボックス４０に向けて送信する。セットトップボックス４０にはＢＳデジタル放送用のチューナー４４が搭載されているため、セットトップボックス４０の制御部４２は、このチューナー４４確認コマンドに応じて、ＢＳデジタル放送用のチューナー４４が搭載されていることを示す応答信号を制御用信号線７６を介してテレビジョン装置１０に向けて送信する。テレビジョン装置１０の制御部２０は、セットトップボックス４０からの応答信号に基づいてセットトップボックス４０に搭載されたチューナー４４の種別をチェックして、セットトップボックス４０に搭載されるＢＳデジタル放送用のチューナー４４にはＥＰＧ表示機能があることを認識し、さらにＢＳデジタル放送用の電子番組表は未だ表示されていないことを認識する。
【００４２】
次に、テレビジョン装置１０の制御部２０は、電子番組表の映像信号の生成を指示するＥＰＧ表示コマンドを、制御用信号線７６を介してセットトップボックス４０に向けて送信する。セットトップボックス４０の制御部４２は、このＥＰＧ表示コマンドに応じて、セットトップボックス４０の各部に電力供給を開始するとともに、ＢＳデジタル放送用の電子番組表の映像信号が生成されるように制御する。ここで生成される電子番組表では、最初のチャンネルがカーソルにより選択されている（図８参照）。続いて、テレビジョン装置１０の制御部２０は、映像の出力を要求する映像出力要求コマンドを制御用信号線７６を介して送信する。セットトップボックス４０の制御部４２は、この映像出力要求コマンドに応じて、ＢＳデジタル放送用の電子番組表の映像信号を映像用信号線７２を介してテレビジョン装置１０に向けて出力する。また、ＡＶアンプ３０の制御部３２は、上記の映像出力要求コマンドに応じて、セットトップボックス４０から入力される映像信号をテレビジョン装置１０に出力するための処理を行う。また、セットトップボックス４０の制御部４２は、上述したとおり映像信号を出力すると共に、映像信号が出力されたことを知らせる映像出力通知コマンドを、制御用信号線７６を介して全てのＡＶ機器に向けて送信する。
【００４３】
次に、テレビジョン装置１０の制御部２０は、ディスプレイ１７で表示される映像信号を切り替えるように信号処理部１４を制御する。より詳しく説明すると、テレビジョン装置１０の制御部２０は、映像信号の入力端子を、テレビジョン装置１０のチューナー１２に接続された入力端子から、ＨＤＭＩケーブル７０を介してセットトップボックス４０に接続された入力端子に切り替える。このような一連の処理の結果、テレビジョン装置１０のディスプレイ１７に表示される映像は、図７に示される地上アナログ放送の電子番組表から、図８に示されるＢＳデジタル放送の電子番組表に切り替えられる。
【００４４】
次に、別のＥＰＧ切替処理について説明する。以下に説明するＥＰＧ切替処理は、リモートコントローラ２７の表示切替キーが押された場合に実行される処理である。図５には、このＥＰＧ切替処理のフローチャートが示されている。ここで説明するＥＰＧ切替処理は、テレビジョン装置１０の制御部２０がプログラムを実行することにより実現される。
【００４５】
ステップ５０１において、テレビジョン装置１０の制御部２０は、テレビジョン装置１０または周辺機器４０，６０に搭載されたチューナー１２，４４，６４により受信される電子番組表をディスプレイ１７に表示する（図７参照）。なお、以下の説明では、説明の便宜のために、テレビジョン装置１０のチューナー１２により受信される地上デジタル放送の電子番組表がディスプレイ１７に表示された状況においてＥＰＧ切替処理が実行されるものとする。但し、ＥＰＧ切替処理は、周辺機器４０，６０のチューナー４４，６４により受信される電子番組表がディスプレイ１７に表示されている状況において実行されてもよい。
【００４６】
ステップ５０２において、テレビジョン装置１０の制御部２０は、電子番組表の切り替えを行うべきＥＰＧ切替条件が満たされたか否かを判定する。ここで、ＥＰＧ切替条件は、「リモートコントローラ２７の放送切替キーが押された」という条件である。ステップ５０２においてＥＰＧ切替条件が満たされたと判定された場合には、テレビジョン装置１０の制御部２０は、ステップ５０３の処理に進む。なお、本実施形態では、放送種別（地上アナログ放送、地上デジタル放送、ＢＳデジタル放送、ＣＳデジタル放送など）を切り替えるための放送切替キーがリモートコントローラ２７に設けられるが、他の実施形態では、放送切替キーがディスプレイ１７にＯＳＤとして表示されてもよい。
【００４７】
ステップ５０３において、テレビジョン装置１０の制御部２０は、テレビジョン装置１０（ステップ５０１で周辺機器４０，６０により受信される電子番組表が表示されていた場合には、その周辺機器４０，６０）に他の電子番組表を受信可能なチューナーが搭載されているか否かを判定する。例えば電子番組表サービスを提供する他の放送種別（ＢＳデジタル放送、ＣＳデジタル放送など）用のチューナーがテレビジョン装置１０に搭載されているのであれば、テレビジョン装置１０の制御部２０は、そのチューナーの存在を認識する。
【００４８】
上記のステップ５０３においてテレビジョン装置１０に他のチューナーが搭載されていることが認識された場合には、テレビジョン装置１０の制御部２０は、ステップ５０８の処理に進み、認識されたチューナーにより受信される電子番組表がディスプレイ１７に表示されるように制御する。ここで、電子番組表は、最初のチャンネルがカーソルにより選択された状態でディスプレイ１７に表示される（図８参照）。一方、ステップ５０３においてテレビジョン装置１０に他のチューナーが搭載されていないことが判定された場合には、テレビジョン装置１０の制御部２０は、ステップ５０４の処理に進む。
【００４９】
ステップ５０４において、テレビジョン装置１０の制御部２０は、ＨＤＭＩケーブル７０を介して接続された周辺機器３０，４０，５０，６０の存在を調べる。テレビジョン装置１０の制御部２０は、テレビジョン装置１０の起動時に周辺機器の有無を調べるように設定されており、起動後には周辺機器の有無の情報を蓄積している。よって、テレビジョン装置１０の制御部２０は、蓄積された周辺機器の有無の情報に基づいて、ＨＤＭＩケーブル７０を介して接続された周辺機器の存在を調べることができる。ステップ５０４において周辺機器が存在しないと判定された場合には、テレビジョン装置１０の制御部２０は、ステップ５０８の処理に進み、現在表示中の電子番組表を最初のチャンネルがカーソルにより選択された状態に更新し、更新された電子番組表がディスプレイ１７に表示されるように制御する。一方、ステップ５０４においてＨＤＭＩケーブル７０を介して接続された周辺機器が存在すると判定された場合には、テレビジョン装置１０の制御部２０は、ステップ５０５の処理に進む。
【００５０】
ステップ５０５において、テレビジョン装置１０の制御部２０は、その周辺機器３０，４０，５０，６０にチューナーが搭載されているか否かを調べるためのチューナー確認コマンドを送信する。このチューナー確認コマンドは、チューナーの有無を問い合わせるための制御信号であると共に、チューナーの種別を問い合わせるための制御信号である。周辺機器３０，４０，５０，６０は、テレビジョン装置１０からのチューナー確認コマンドを受信すると、ＲＯＭからチューナーの有無を示す情報およびチューナーの種別を示す情報を読み出し、これらの情報を含む応答信号を送信する。ここで、チューナーの種別を示す情報とは、そのチューナーが受信する放送の種別を特定する情報であり、例えば、地上アナログ放送、地上デジタル放送、ＢＳデジタル放送、ＣＳデジタル放送などを特定する情報である。ステップ５０５において、テレビジョン装置１０の制御部２０は、周辺機器３０，４０，５０，６０から送られてくる応答信号を受信すると、ステップ５０６の処理に進む。
【００５１】
ステップ５０６において、テレビジョン装置１０の制御部２０は、周辺機器３０，４０，５０，６０からの応答信号に基づいて、その周辺機器にＥＰＧ表示機能があるか否かを判定する。ＥＰＧ表示機能とは、ユーザーによるリモートコントローラの操作に応じて電子番組表をディスプレイ１７に表示する機能である。周辺機器のチューナーが電子番組表データを含む放送信号を受信するものである場合には、テレビジョン装置１０の制御部２０は、その周辺機器にＥＰＧ表示機能があることを認識する。一方、周辺機器のチューナーが電子番組表データを含まない放送信号を受信するものである場合には、テレビジョン装置１０の制御部２０は、その周辺機器にＥＰＧ表示機能がないことを認識する。
【００５２】
ステップ５０６において周辺機器にＥＰＧ表示機能がないと判定された場合には、テレビジョン装置１０の制御部２０は、ステップ５０４の処理に戻り、ＨＤＭＩケーブル７０を介して接続されたさらに他の周辺機器が存在するか否かを調べる。一方、ステップ５０６において周辺機器にＥＰＧ表示機能があると判定された場合には、テレビジョン装置１０の制御部２０は、ステップ５０７の処理に進む。
【００５３】
ステップ５０７において、テレビジョン装置１０の制御部２０は、周辺機器のチューナーの種別がテレビジョン装置１０（ステップ５０１で周辺機器４０，６０により受信される電子番組表が表示されていた場合には、既に電子番組表が表示されたテレビジョン装置１０およびその周辺機器４０，６０）のチューナー１２の種別と異なるか否かを判定する（Ｓ５０７）。ステップ５０７において周辺機器のチューナーの種別がテレビジョン装置１０のチューナー１２の種別と異なると判定された場合には、テレビジョン装置１０の制御部２０は、ステップ５０８の処理に進み、その周辺機器のチューナーにより受信される電子番組表がディスプレイ１７に表示されるように制御する。ここで、電子番組表は、最初のチャンネルがカーソルにより選択された状態でディスプレイ１７に表示される（図８参照）。一方、ステップ５０７において周辺機器のチューナーの種別がテレビジョン装置１０のチューナー１２の種別と同じであると判定された場合には、テレビジョン装置１０の制御部２０は、ステップ５０４の処理に戻り、ＨＤＭＩケーブル７０を介して接続されたさらに他の周辺機器が存在するか否かを調べる。
【００５４】
上述したＥＰＧ切替処理によれば、ユーザーがリモートコントローラ２７の放送切替キーを操作することにより、ディスプレイ１７に表示される映像を、テレビジョン装置１０により受信される電子番組表から、周辺機器４０により受信される電子番組表に直接に切り替えることができる。よって、従来技術のように周辺機器により受信される番組の映像を表示させてから電子番組表の映像に切り替えるという面倒な操作を行う必要がなくなり、ユーザーは簡易な操作を行うことで周辺機器４０，６０により受信される電子番組表を表示させることができる。
【００５５】
なお、上述したＥＰＧ切替処理において、放送の種別ごとに優先順位を付けて電子番組表の表示切替を行うことも好適である。例えば、上記のステップ５０２のＥＰＧ切替条件が満たされる度に、１．地上アナログ放送の電子番組表、２．地上デジタル放送の電子番組表、３．ＢＳデジタル放送の電子番組表、４．ＣＳデジタル放送の電子番組表の順序で切り替えられるようにしてもよい。このような電子番組表の表示切替処理は、テレビジョン装置１０の制御部２０が、ステップ５０７において周辺機器のチューナーが優先順位に応じているか否かを判定すればよい。このような電子番組表の表示切替処理を行うことで、常に同じ順序で電子番組表をディスプレイ１７に表示させることができる。
【００５６】
次に、図６のシーケンス図を参照して、図５のＥＰＧ切替処理が行われた場合のテレビジョン装置１０およびその周辺機器３０，４０，５０，６０の動作について説明する。図５のシーケンス図には、テレビジョン装置１０およびその周辺機器３０，４０，５０，６０の動作が、テレビジョン装置１０とその周辺機器３０，４０，５０，６０との間でやり取りされる制御信号と共に示されている。
【００５７】
先ず、ユーザーによりテレビジョン装置１０用のリモートコントローラ２７の番組表キーが押されると、テレビジョン装置１０の制御部２０は、ユーザーにより番組表キーが押されたことを認識する。そして、テレビジョン装置１０の制御部２０は、テレビジョン装置１０のチューナー１２により受信される電子番組表がディスプレイ１７に表示されるように制御する。
【００５８】
次に、ユーザーによりテレビジョン装置１０用のリモートコントローラ２７の入力切替キーが押されると、テレビジョン装置１０の制御部２０は、ユーザーにより入力切替キーが押されたことを認識する。そして、テレビジョン装置１０の制御部２０は、テレビジョン装置１０に他の電子番組表を表示可能なチューナーが搭載されているか否かをチェックする。但し、本実施形態では、テレビジョン装置１０には地上デジタル放送のチューナー１２しか搭載されていないため、テレビジョン装置１０の制御部２０は、他のチューナーがないことを判定する。
【００５９】
次に、テレビジョン装置１０の制御部２０は、ＨＤＭＩケーブル７０を介して接続された周辺機器があるか否かをチェックする。本実施形態では、ＡＶアンプ３０、セットトップボックス４０、ＤＶＤプレーヤー５０、ＨＤＤレコーダー６０等が接続されているため、テレビジョン装置１０の制御部２０は、それらの周辺機器の中で物理アドレスが最も小さいＡＶアンプ３０の存在を第一に確認する。そしで、テレビジョン装置１０の制御部２０は、チューナーの有無およびチューナーの種別を確認するためのチューナー確認コマンドを制御用信号線７６を介してＡＶアンプ３０に向けて送信する。ＡＶアンプ３０にはチューナーは搭載されていないため、ＡＶアンプ３０の制御部３２は、このチューナー確認コマンドに応じて、チューナーが搭載されていないことを示す応答信号を制御用信号線７６を介してテレビジョン装置１０に向けて送信する。テレビジョン装置１０の制御部２０は、この応答信号を受信することにより、ＡＶアンプ３０にチューナーが搭載されていないことを認識する。
【００６０】
次に、テレビジョン装置１０の制御部２０は、ＨＤＭＩケーブル７０を介して接続されたさらに他の周辺機器があるか否かをチェックする。テレビジョン装置１０の制御部２０は、周辺機器の中で物理アドレスが二番目に小さいセットトップボックス４０の存在を第二に確認する。そしで、テレビジョン装置１０の制御部２０は、チューナーの有無およびチューナーの種別を確認するためのチューナー確認コマンドを制御用信号線７６を介してセットトップボックス４０に向けて送信する。セットトップボックス４０にはＢＳデジタル放送用のチューナー４４が搭載されているため、セットトップボックス４０の制御部４２は、このチューナー４４確認コマンドに応じて、ＢＳデジタル放送用のチューナー４４が搭載されていることを示す応答信号を制御用信号線７６を介してテレビジョン装置１０に向けて送信する。テレビジョン装置１０の制御部２０は、セットトップボックス４０からの応答信号に基づいてセットトップボックス４０に搭載されたチューナー４４の種別をチェックして、セットトップボックス４０に搭載されるＢＳデジタル放送用のチューナー４４にはＥＰＧ表示機能があることを認識し、さらにＢＳデジタル放送用の電子番組表は未だ表示されていないことを認識する。
【００６１】
次に、テレビジョン装置１０の制御部２０は、電子番組表の映像信号の生成を指示するＥＰＧ表示コマンドを、制御用信号線７６を介してセットトップボックス４０に向けて送信する。セットトップボックス４０の制御部４２は、このＥＰＧ表示コマンドに応じて、セットトップボックス４０の各部に電力供給を開始するとともに、ＢＳデジタル放送用の電子番組表の映像信号が生成されるように制御する。ここで生成される電子番組表では、最初のチャンネルがカーソルにより選択されている（図８参照）。続いて、テレビジョン装置１０の制御部２０は、映像の出力を要求する映像出力要求コマンドを制御用信号線７６を介して送信する。セットトップボックス４０の制御部４２は、この映像出力要求コマンドに応じて、ＢＳデジタル放送用の電子番組表の映像信号を映像用信号線７２を介してテレビジョン装置１０に向けて出力する。また、ＡＶアンプ３０の制御部３２は、上記の映像出力要求コマンドに応じて、セットトップボックス４０から入力される映像信号をテレビジョン装置１０に出力するための処理を行う。また、セットトップボックス４０の制御部４２は、上述したとおり映像信号を出力すると共に、映像信号が出力されたことを知らせる映像出力通知コマンドを、制御用信号線７６を介して全てのＡＶ機器に向けて送信する。
【００６２】
次に、テレビジョン装置１０の制御部２０は、ディスプレイ１７で表示される映像信号を切り替えるように信号処理部１４を制御する。より詳しく説明すると、テレビジョン装置１０の制御部２０は、映像信号の入力端子を、テレビジョン装置１０のチューナー１２に接続された入力端子から、ＨＤＭＩケーブル７０を介してセットトップボックス４０に接続された入力端子に切り替える。このような一連の処理の結果、テレビジョン装置１０のディスプレイ１７に表示される映像は、図７に示される地上アナログ放送の電子番組表から、図８に示されるＢＳデジタル放送の電子番組表に切り替えられる。
【図面の簡単な説明】
【００６３】
【図１】本発明の実施形態に係る映像表示システムを示すブロック図である。
【図２】本発明の実施形態に係るテレビジョン装置を示すブロック図である。
【図３】第１のＥＰＧ切替処理を示すフローチャートである。
【図４】第１のＥＰＧ切替処理を示すシーケンス図である。
【図５】第２のＥＰＧ切替処理を示すフローチャートである。
【図６】第２のＥＰＧ切替処理を示すシーケンス図である。
【図７】ＥＰＧ切替処理前の地上デジタル放送の電子番組表を示す図である。
【図８】ＥＰＧ切替処理後のＢＳデジタル放送の電子番組表を示す図である。
【符号の説明】
【００６４】
１…映像表示システム、１０…テレビジョン装置、１１…アンテナ、１２…チューナー、１３…ＨＤＭＩ受信部、１４…信号処理部、１５…映像処理部、１６…表示処理部、１７…ディスプレイ、２０…制御部、２１…ＣＰＵ、２２…ＲＯＭ、２３…ＲＡＭ、２５…キーボード、２６…受光部、２７…リモートコントローラ、３０…ＡＶアンプ、３２…制御部、４０…セットトップボックス、４２…制御部、４４…チューナー、４６…アンテナ、５０…ＤＶＤプレーヤー、５２…制御部、６０…ＨＤＤレコーダー、６２…制御部、６４…チューナー、６６…アンテナ。
【図１】
2008079125.tif 000003
【図２】
2008079125.tif 000004
【図３】
2008079125.tif 000005
【図４】
2008079125.tif 000006
【図５】
2008079125.tif 000007
【図６】
2008079125.tif 000008
【図７】
2008079125.tif 000009
【図８】
2008079125.tif 000010